(57)【要約】【課題】デュアル・ビュー表示された画像に対するタッチ入力操作を判定する。【解決手段】  表示装置１は、タッチパネル１２に対する１回目のタッチ入力操作のタッチ位置と２回目のタッチ入力操作のタッチ位置とに基づいて、液晶表示パネル１１に表示された視野角の異なる２つの画像のどちらに対するタッチ入力操作なのかを判定する左右判定部１３２を有する制御ＣＰＵ１３を備えている。【選択図】図１
2013190979.tif 000002
【特許請求の範囲】
【請求項１】
第１画像と、当該第１画像とは視野角の異なる第２画像とを同時に表示する表示手段と、
上記表示手段に重ね合わせて設けられ、ユーザによるタッチ入力操作を検出するタッチ検出手段と、
上記タッチ検出手段が検出した１回目のタッチ入力操作のタッチ位置が、２回目のタッチ入力操作のタッチ位置よりも上記第１画像を向けている側であるとき、２回目のタッチ入力操作を第１画像に対する操作であると判定し、上記タッチ検出手段が検出した１回目のタッチ入力操作のタッチ位置が、２回目のタッチ入力操作のタッチ位置よりも上記第２画像を向けている側であるとき、２回目のタッチ入力操作を第２画像に対する操作であると判定する判定手段と
上記タッチ検出手段が１回目のタッチ入力操作を検出してから所定時間内に２回目のタッチ入力操作を検出したとき、上記判定手段に２回目のタッチ入力操作が第１画像及び第２画像のいずれに対する操作であるかを判定させる制御手段と
を備えていることを特徴とする表示装置。
【請求項２】
上記判定手段は、上記タッチ検出手段が検出した１回目のタッチ入力操作のタッチ位置と２回目のタッチ入力操作のタッチ位置との間の距離が所定の閾値よりも短いとき、
２回目のタッチ入力操作のタッチ位置が上記表示手段の中心よりも上記第１画像を向けている側である場合には、２回目のタッチ入力操作を第１画像に対する操作であると判定し、
２回目のタッチ入力操作のタッチ位置が上記表示手段の中心よりも上記第２画像を向けている側である場合には、２回目のタッチ入力操作を第２画像に対する操作であると判断する
ことを特徴とする請求項１に記載の表示装置。
【請求項３】
第１画像と、当該第１画像とは視野角の異なる第２画像とを同時に表示する表示手段に対する、ユーザによるタッチ入力操作を検出するタッチ検出工程と、
上記タッチ検出工程において、１回目のタッチ入力操作を検出してから所定時間内に２回目のタッチ入力操作を検出したとき、１回目のタッチ入力操作のタッチ位置が、２回目のタッチ入力操作のタッチ位置よりも上記第１画像を向けている側である場合、２回目のタッチ入力操作を第１画像に対する操作であると判定し、１回目のタッチ入力操作のタッチ位置が、２回目のタッチ入力操作のタッチ位置よりも上記第２画像を向けている側であるとき、２回目のタッチ入力操作を第２画像に対する操作であると判定する判定工程と
を包含することを特徴とする表示方法。
【請求項４】
請求項１又は２に記載の表示装置が備えている各手段としてコンピュータを動作させるためのプログラム。
【請求項５】
請求項４に記載のプログラムを記録しているコンピュータ読み取り可能な記録媒体。
【発明の詳細な説明】
【技術分野】
【０００１】
本発明は、表示装置、表示方法、プログラム及び記録媒体に関する。
【背景技術】
【０００２】
１つの表示画面に、視野角の異なる２つの画像を表示することによって、２人のユーザがそれぞれ異なる画像を同時に視聴可能なデュアル・ビュー・ディスプレイが知られている。このようなデュアル・ビュー・ディスプレイが、特許文献１〜４に記載されている。
【先行技術文献】
【特許文献】
【０００３】
【特許文献１】特開２００５−７１２８６号公報（２００５年３月１７日公開）
【特許文献２】特開２００５−２８４５９２号公報（２００５年１０月１３日公開）
【特許文献３】特開２０１０−２５０４２７号公報（２０１０年１１月４日公開）
【特許文献４】特開２０１１−１００３３７号公報（２０１１年５月１９日公開）
【発明の概要】
【発明が解決しようとする課題】
【０００４】
デュアル・ビュー・ディスプレイにおいて、タッチパネルをユーザがタッチ入力操作により、視聴する画像に対する操作を入力する場合、どちらのユーザが入力操作したのか、すなわち、どちらの画像に対して入力操作されたのかを識別し、当該入力操作を、いずれかの画像に対応させる必要がある。
【０００５】
特許文献１に記載のディスプレイでは、各ユーザに対してそれぞれ専用のタッチ入力エリアをタッチパネルに設けている。また、特許文献２に記載のディスプレイでは、アイコンの位置等の操作画面を、ユーザ毎に重畳しないように表示する。さらに特許文献３に記載のディスプレイでは、タッチ入力した指の向きを検出する近接センサを用いて、どちらの画像に対して入力操作されたかを判別している。また、特許文献４に記載のディスプレイでは、タッチ入力時のタッチパネルへの接触方向を圧力センサにより検出して、どちらの画像に対して入力操作されたかを判別している。
【０００６】
しかしながら、特許文献１及び２に記載のディスプレイにおいては、各ユーザがタッチ入力可能なエリアが限られており、タッチ入力できないエリアが大きくなることがある。また、特許文献３及び４に記載のディスプレイでは、タッチ入力した指などの方向を検出するためのセンサが必要であるので、装置が複雑及び高価になってしまう。
【０００７】
本発明は、上述した問題点に鑑みてなされたものであり、その目的は、デュアル・ビュー・ディスプレイにおいて、ユーザによるタッチ入力が、どちらの画像に対して入力されたのかを容易に判別すること可能な表示装置を提供することにある。
【課題を解決するための手段】
【０００８】
上記の課題を解決するために、本発明に係る表示装置は、第１画像と、当該第１画像とは視野角の異なる第２画像とを同時に表示する表示手段と、上記表示手段に重ね合わせて設けられ、ユーザによるタッチ入力操作を検出するタッチ検出手段と、上記タッチ検出手段が検出した１回目のタッチ入力操作のタッチ位置が、２回目のタッチ入力操作のタッチ位置よりも上記第１画像を向けている側であるとき、２回目のタッチ入力操作を第１画像に対する操作であると判定し、上記タッチ検出手段が検出した１回目のタッチ入力操作のタッチ位置が、２回目のタッチ入力操作のタッチ位置よりも上記第２画像を向けている側であるとき、２回目のタッチ入力操作を第２画像に対する操作であると判定する判定手段と、上記タッチ検出手段が１回目のタッチ入力操作を検出してから所定時間内に２回目のタッチ入力操作を検出したとき、上記判定手段に２回目のタッチ入力操作が第１画像及び第２画像のいずれに対する操作であるかを判定させる制御手段とを備えていることを特徴としている。
【０００９】
上記の構成によれば、判定手段は、２回目のタッチ入力操作のタッチ位置を基準として、１回目のタッチ入力操作のタッチ位置が、第１画像を向けている側であるか、第２画像を向けている側であるかに基づいて、タッチ検出手段が検出したタッチ入力操作がどちらの画像に対する操作であるかを判定する。すなわち、判定手段は、２回目のタッチ入力操作のタッチ位置を基準として、１回目のタッチ入力操作のタッチ位置が第１画像を向けている側であれば、第１画像に対するタッチ入力操作、すなわち第１画像を向けている側のユーザによるタッチ入力操作であると判定し、１回目のタッチ入力操作のタッチ位置が第２画像を向けている側であれば、第２画像に対するタッチ入力操作、すなわち第２画像を向けている側のユーザによるタッチ入力操作であると判定する。
【００１０】
このように、視野角の異なる２つの画像が同時に表示される表示装置に対して、いずれかの画像を視聴するユーザからタッチ入力操作された場合に、１回目のタッチ位置と、２回目のタッチ位置とに基づいて、どちらの画像に対してタッチ入力操作されたかを判定する。したがって、ユーザによるタッチ入力操作が、どちらの画像を向けている側のユーザによる操作なのか、またどちらの画像に対して行われたのかを容易に判別することできる。
【００１１】
また、それぞれの画像を視聴するユーザ毎に専用のタッチ入力領域を設ける必要がないため、それぞれのユーザがタッチパネルの全ての領域に対してタッチ入力可能となる。また、タッチ入力操作を判定するために、特別な装置又はセンサを設ける必要がないため、装置の構成が簡略化することが可能であり、かつ装置を安価に製造することができる。
【００１２】
また、本発明に係る表示装置において、上記判定手段は、上記タッチ検出手段が検出した１回目のタッチ入力操作のタッチ位置と２回目のタッチ入力操作のタッチ位置との間の距離が所定の閾値よりも短いとき、２回目のタッチ入力操作のタッチ位置が上記表示手段の中心よりも上記第１画像を向けている側である場合には、２回目のタッチ入力操作を第１画像に対する操作であると判定し、２回目のタッチ入力操作のタッチ位置が上記表示手段の中心よりも上記第２画像を向けている側である場合には、２回目のタッチ入力操作を第２画像に対する操作であると判断することが好ましい。
【００１３】
上記の構成によれば、第１画像に対してタッチ入力操作する場合に、２回目にタッチしたい領域よりも第１画像を向けている側に１回目にタッチできる領域がないときや、第２画像に対してタッチ入力操作する場合に、２回目にタッチしたい領域よりも第２画像を向けている側に１回目にタッチできる領域がないときにも、どちらの画像に対するタッチ入力操作であるかを判定することができる。
【００１４】
２回目にタッチしたい領域よりも第１画像を向けている側又は第２画像を向けている側に１回目にタッチできる領域がない場合か否かは、タッチ検出手段が検出した１回目のタッチ入力操作のタッチ位置と２回目のタッチ入力操作のタッチ位置との間の距離が所定の閾値よりも短いか否かによって判断することができる。
【００１５】
判定手段は、上記距離が所定の閾値よりも短いとき、２回目にタッチ入力操作されたタッチ位置が画面の中央よりも第１画像を向けている側であれば第１画像に対するタッチ入力操作であると判定し、２回目にタッチ入力操作されたタッチ位置が画面の中央よりも第２画像を向けている側であれば第２画像に対するタッチ入力操作であると判定する。
【００１６】
これにより、ユーザによるタッチ入力操作が、どちらの画像に対して行われたのかを容易に判別することができる。
【００１７】
本発明に係る表示方法は、第１画像と、当該第１画像とは視野角の異なる第２画像とを同時に表示する表示手段に対する、ユーザによるタッチ入力操作を検出するタッチ検出工程と、上記タッチ検出工程において、１回目のタッチ入力操作を検出してから所定時間内に２回目のタッチ入力操作を検出したとき、１回目のタッチ入力操作のタッチ位置が、２回目のタッチ入力操作のタッチ位置よりも上記第１画像を向けている側である場合、２回目のタッチ入力操作を第１画像に対する操作であると判定し、１回目のタッチ入力操作のタッチ位置が、２回目のタッチ入力操作のタッチ位置よりも上記第２画像を向けている側であるとき、２回目のタッチ入力操作を第２画像に対する操作であると判定する判定工程とを包含することを特徴としている。
【００１８】
上記の構成によれば、上述した本発明に係る表示装置と同様の効果を奏する。
【００１９】
上述した本発明に係る表示装置が備えている各手段としてコンピュータを動作させるためのプログラム、及び当該プログラムを記録しているコンピュータ読み取り可能な記録媒体も本発明の範疇に含まれる。
【発明の効果】
【００２０】
本発明に係る表示装置は、１回目のタッチ入力操作のタッチ位置が、２回目のタッチ入力操作のタッチ位置よりも第１画像を向けている側である場合、２回目のタッチ入力操作を第１画像に対する操作であると判定し、１回目のタッチ入力操作のタッチ位置が、２回目のタッチ入力操作のタッチ位置よりも第２画像を向けている側であるとき、２回目のタッチ入力操作を第２画像に対する操作であると判定する判定手段を備えているので、ユーザによるタッチ入力操作が、どちらの画像を向けている側のユーザによる操作であるか、また、どちらの画像に対する操作であるかを容易に判別することできるという効果を奏する。
【図面の簡単な説明】
【００２１】
【図１】本発明の一実施形態に係る表示装置の構成を示す模式図である。
【図２】デュアル・ビュー・ディスプレイの基本原理を説明する図である。
【図３】本発明の一実施形態に係る表示装置におけるタッチ入力操作の例を示す図である。
【図４】タッチ入力の座標検出処理を説明する図である。
【図５】本発明の一実施形態に係る表示装置におけるタッチ入力操作の判別処理の例を示すフローチャートである。
【図６】本発明の一実施形態に係る表示装置におけるタッチ入力操作の判別処理の他の例を示すフローチャートである。
【発明を実施するための形態】
【００２２】
〔表示装置〕
以下、本発明の実施の形態について、図１〜６を参照して詳細に説明する。
【００２３】
図１は、本発明の一実施形態に係る表示装置１の構成を示す模式図である。表示装置１は、液晶表示パネル（表示手段）１１、タッチパネル（タッチ検出手段）１２、及び制御ＣＰＵ（制御手段）１３を備えている。また、制御ＣＰＵ１３は、左右判定部（判定手段）１３２を備えている。さらに、表示装置１は、タッチ位置検出回路１４、液晶表示コントローラ、メモリ媒体、及びタイマー部を備えていてもよい。制御ＣＰＵ１３は、左右判定部１３２以外に、メモリ部１３１、左画像処理部１３３、及び右画像処理部１３４を備えていてもよい。
【００２４】
液晶表示パネル１１は、デュアル・ビュー・ディスプレイ技術を利用して、２人のユーザがそれぞれ視聴する、視野角の異なる２つの画像（第１画像及び第２画像）を同時に表示する。ここで、図２を参照して、デュアル・ビュー・ディスプレイの基本原理について説明する。図２は、デュアル・ビュー・ディスプレイの基本原理を説明する図である。図２に示すように、液晶表示パネル２１の前面にパララックスバリア（光学系分離素子）２２を配置する。液晶表示パネル２１は、複数の画素２１ａ及び２１ｂを有している。パララックスバリア２２は、不透明領域によって隔てられた垂直な透光性スリット２２ａを複数有するスクリーン２２ｂである。
【００２５】
液晶表示パネル２１の画素２１ａを透過したバックライト（図示せず）からの光は、複数の透光性スリット２２ａを介してユーザＡ１に到達する。液晶表示パネルの画素２１ｂを透過したバックライトからの光は、複数の透光性スリット２２ａを介してユーザＢ１に到達する。すなわち、液晶表示パネル２１に表示されるそれぞれ異なる映像の２つのビュー（デュアル・ビュー）は、パララックスバリア２２の複数の透光性スリット２２ａにより、空間上の規定された領域からしか見えないようにしたものである。これにより、ユーザＡ１及びＢ１は、それぞれ異なる画像を同時に視聴することができる。
【００２６】
液晶表示パネル２１にデュアル・ビュー表示するとき、例えば、液晶表示パネル１１の隣り合う画素２１ａ及び２１ｂを、液晶表示パネル１１に向かって左側に位置するユーザＡ１用の画像データ又は液晶表示パネル１１に向かって右側に位置するユーザＢ１用の画像データに応じて駆動させればよい。言い換えれば、隣り合う画素２１ａ及び２１ｂは、互いに異なる方向用の画像データに応じて駆動されることになる。なお、画素は１個置きに互いに異なる画像データに応じて駆動させるようにしてもよいし、２個置き又は３個置き等のように複数個置きに駆動させるようにしてもよい。すなわち、各画素の駆動態様については、パララックスバリア２２の透光性スリット２２ａの幅に応じて設定することができる。
【００２７】
これにより、パララックスバリア２２の複数の透光性スリット２２ａを介して視認される光が、空間上の規定された領域からしか見えないことになる。例えば、ユーザＡ１の位置からは、ユーザＡ１用の画像のみを見ることが可能であり、ユーザＢ１の位置からは、ユーザＢ１用の画像のみを見ることができる。
【００２８】
それぞれの画像データに応じた音声は、図示しないスピーカから出力され、それぞれのユーザＡ１及びＢ１に混在して伝達されるが、例えば、そのスピーカを、超指向性を有するものにすることで、ユーザＡ１及びＢ１のそれぞれに、それぞれの映像に応じた音声のみを伝達することが可能である。なお、液晶表示パネル２１に表示する画像データは、受信したテレビジョン放送信号に基づくテレビ画像データでもよいし、ビデオ、ＤＶＤ，ブルーレイディスク等に保存された画像データを再生したものでもよい。
【００２９】
タッチパネル１２は、パララックスバリア２２の前面に重ね合わせて設けられ、ユーザによるタッチ入力操作を検出するものである。タッチパネル１２としては、電磁誘導式、電気抵抗式、静電容量式、感圧式等のタッチパネルを用いることができる。タッチパネル１２の大きさは、液晶表示パネル１１と略同一であることが好ましい。
【００３０】
タッチ位置検出回路１４は、タッチパネル１２においてタッチ入力操作されたタッチ位置の座標を検出し、その検出結果を座標データとして制御ＣＰＵ１３に与える。
【００３１】
液晶表示コントローラ１５は、制御ＣＰＵ１３から与えられるユーザＡ１用の画像データとユーザＢ１用の画像データとを、デュアル・ビュー表示の画素配分に適した画素配分になるように処理し、ひとつの画像データとして液晶表示パネル１１に与える。
【００３２】
メモリ媒体１６は、不揮発メモリ、Ｆｌａｓｈメモリ、ＨＤＤなどにより構成されており、制御ＣＰＵ１３による制御プログラム、液晶表示パネル１１に表示する画像データ、カーナビゲーションシステムの地図データ等を記録する。
【００３３】
タイマー部１７は、ユーザによるタッチ入力操作を検出してから、次のタッチ入力操作を検出するまでの時間をカウントする。制御ＣＰＵ１３は、タッチ位置検出回路１４からの検出結果を受け付けたときの時刻をタイマー部１７から取得する。
【００３４】
制御ＣＰＵ１３は、タッチ位置検出回路１４からの検出結果に基づいて、液晶表示パネル１１に向かって左側のユーザＡ１からのタッチ入力操作であるか、液晶表示パネル１１に向かって右側のユーザＢ１からのタッチ入力操作であるのかを判定する。つまり、タッチ位置検出回路１４が検出したタッチ入力操作が、左側に位置するユーザＡ１に向けた画像、すなわちユーザＡ１用の画像に対する操作なのか、右側に位置するユーザＢ１に向けた画像、すなわちユーザＢ１用の画像に対する操作なのかを判定する。そして、判定結果に基づいて、タッチ入力操作したユーザに向けた画像に対して、タッチ入力操作に基づいた処理を施し、液晶表示パネル１１に表示するように、液晶表示コントローラ１５を制御する。
【００３５】
制御ＣＰＵ１３のメモリ部１３１は、揮発メモリ（ＲＡＭ）等により構成されており、タッチ位置検出回路１４から受け付けたタッチ入力操作の座標データを記録する。また、タイマー部１７から取得した、タッチ入力操作の検出結果を受け付けたときの時刻を、当該座標データに関連付けて記録してもよい。
【００３６】
制御ＣＰＵ１３の左右判定部１３２は、メモリ部１３１に記録されたタッチ入力操作の座標データから、当該タッチ入力操作が、左側に位置するユーザに向けた画像に対する操作なのか、右側に位置するユーザに向けた画像に対する操作なのかを判定する。左右判定部１３２によるタッチ入力操作の判定処理の詳細については後述する。
【００３７】
左画像処理部１３３は、左右判定部１３２が、タッチ入力操作を左側に位置するユーザに向けた画像に対する操作であると判定したとき、当該画像に対して、タッチ入力操作に対応する処理を施す。右画像処理部１３４は、左右判定部１３２が、タッチ入力操作を右側に位置するユーザに向けた画像に対する操作であると判定したとき、当該画像に対して、タッチ入力操作に対応する処理を施す。
【００３８】
制御ＣＰＵ１３は、タッチ入力操作が左側に位置するユーザに向けた画像に対する操作であると判定したとき、左画像処理部１３３において処理した画像データと、メモリ媒体１６に記録された右側に位置するユーザ用の画像データとを、液晶表示パネル１１に表示するように液晶表示コントローラ１５を制御する。また、制御ＣＰＵ１３は、タッチ入力操作が右側に位置するユーザに向けた画像に対する操作であると判定したとき、右画像処理部１３４において処理した画像データと、メモリ媒体１６に記録された左側に位置するユーザ用の画像データとを、液晶表示パネル１１に表示するように液晶表示コントローラ１５を制御する。
【００３９】
次に、図３中（ａ）〜（ｄ）を参照して、左右判定部１３２におけるタッチ入力操作の判定処理について説明する。図３中（ａ）〜（ｄ）は、本発明の一実施形態に係る表示装置におけるタッチ操作の例を示す図である。
【００４０】
表示装置１においては、図３中（ａ）〜（ｄ）に示すように、左右判定部１３２が、ユーザによる連続した２回のタッチ入力のそれぞれの位置により、左右いずれの位置のユーザによるタッチ入力操作かを判定する。より具体的には、１回目にタッチ入力操作されたタッチ位置の座標と２回目にタッチ入力操作されたタッチ位置の座標との差に基づいて、タッチ入力操作がどちらの画像に対する操作なのかを判定する。
【００４１】
これにより、例えば、カーナビゲーションシステムにおいて表示装置１を使用するときに、助手席側にＤＶＤに記録されている映像向け、運転席側にナビゲーション画像を向けるような場合に、助手席側のユーザがタッチ入力操作したのか、運転席側のユーザがタッチ入力操作したのかを判定することができる。そして、助手席側のユーザがタッチ入力操作したと判定した場合には、ＤＶＤに記録されている映像に対してタッチ入力操作に対応する処理を実行し、運転席側のユーザがタッチ入力操作したと判定した場合には、ナビゲーション画像に対してタッチ入力操作に対応する処理を実行する。以下では、助手席側のユーザを左側のユーザとし、運転席側のユーザを右側のユーザとして定義したときのタッチ入力操作の判定処理の例を示す。
【００４２】
図３中（ａ）に示すように、例えば、左側のユーザがタッチ入力するとき、まずユーザは、本来タッチしたいエリアＡよりも左側のいずれかの位置をタッチ入力操作する。これを１回目のタッチ入力操作とする。そして、１回目のタッチ入力操作から一定時間以内に、指を右方向に動かし、本来タッチしたいエリアＡをタッチする。これを２回目のタッチ入力操作とする。
【００４３】
このように、１回目のタッチ入力操作が、２回目のタッチ入力操作よりも左側であるとき、左側に位置するユーザ用の画像に対するタッチ入力操作、すなわち左側に位置するユーザＡ１によるタッチ入力操作であると判定し、２回目のタッチ入力操作に対応する処理を当該画像に対して実行する。なお、１回目のタッチ入力操作は、いずれのユーザによる入力操作なのかを判定するためのものであり、１回目のタッチ入力操作に対応する処理は実行しない。
【００４４】
同様に、図３中（ｂ）に示すように、右側のユーザがタッチ入力操作するとき、まずユーザは、本来タッチしたいエリアＢよりも右側の何れかの位置をタッチし、これを１回目のタッチ入力操作とする。次に、１回目のタッチ入力操作から一定時間以内に、指を左方向に動かし、本来タッチしたいエリアＢをタッチし、これを２回目のタッチ入力操作とする。このように、１回目のタッチ入力操作が、２回目のタッチ入力操作よりも右側であるとき、右側に位置するユーザ用の画像に対するタッチ入力操作、すなわち右側に位置するユーザＢ１によるタッチ入力操作であると判定し、２回目のタッチ入力操作に対応する処理を当該画像に対して実行する。
【００４５】
図３中（ａ）及び（ｂ）のいずれの場合にも、１回目のタッチ位置の座標と２回目のタッチ位置の座標との差を求め、この差が０より小さければ左側のユーザによるタッチ入力操作であると判定し、差が０より大きければ右側のユーザによるタッチ入力操作であると判定することができる。
【００４６】
このように、表示装置１においては、左右判定部１３２が、１回目のタッチ入力操作のタッチ位置が、２回目のタッチ入力操作のタッチ位置よりも左側、すなわち、左側に位置するユーザ用の画像（第１画像）を向けている側であるとき、２回目のタッチ入力操作を左側に位置するユーザ用の画像に対する操作であると判定し、１回目のタッチ入力操作のタッチ位置が、２回目のタッチ入力操作のタッチ位置よりも右側、すなわち、右側に位置するユーザ用の画像（第２画像）を向けている側であるとき、２回目のタッチ入力操作を右側に位置するユーザ用の画像に対する操作であると判定する。
【００４７】
したがって、視野角の異なる２つの画像が同時に表示される表示装置に対して、いずれかの画像を視聴するユーザからタッチ入力操作された場合に、１回目のタッチ位置と、２回目のタッチ位置とに基づいて、どちらの画像に対してタッチ入力操作されたかを判定することができる。したがって、ユーザによるタッチ入力操作が、どちらの画像に対して行われたのかを容易に判別することできる。
【００４８】
また、それぞれの画像を視聴するユーザ毎に専用のタッチ入力領域を設ける必要がないため、それぞれのユーザがタッチパネルの全ての領域に対してタッチ入力可能となる。また、タッチ入力操作を判定するために、特別な装置又はセンサを設ける必要がないため、装置の構成が簡略化することが可能であり、かつ装置を安価に製造することができる。
【００４９】
ここで、例えば、図３中（ｃ）に示すように、左側のユーザが本来タッチしたいエリアＣが左端にあり、エリアＣよりも左側にタッチするエリアが無い場合には、ユーザは、エリアＣを２回タッチする。そして、左右判定部１３２は、１回目のタッチ位置と２回目のタッチ位置との間の距離を算出して、当該距離が所定の閾値よりも小さいとき、２回目のタッチ位置が、液晶表示パネル１１の中央よりも左側であれば、左側に位置するユーザＡ１によるタッチ入力操作であると判定し、２回目のタッチ入力操作に対応する処理を左側に位置するユーザ用の画像に対して実行する。
【００５０】
同様に、図３中（ｄ）に示すように、右側のユーザが本来タッチしたいエリアＤが右端にあり、エリアＤよりも右側にタッチするエリアが無い場合には、ユーザは、エリアＤを２回タッチする。そして、左右判定部１３２は、１回目のタッチ位置と２回目のタッチ位置との間の距離を算出して、当該距離が所定の閾値よりも小さいとき、２回目のタッチ位置が、液晶表示パネル１１の中央よりも右側であれば、右側に位置するユーザＢ１によるタッチ入力操作であると判定し、２回目のタッチ入力操作に対応する処理を右側に位置するユーザ用の画像に対して実行する。
【００５１】
このように、左側に位置するユーザ用の画像に対してタッチ入力操作する場合に、２回目にタッチしたい領域よりも左側、すなわち左側に位置するユーザ用の画像を向けている側に１回目にタッチできる領域がないときや、右側に位置するユーザ用の画像に対してタッチ入力操作する場合に、２回目にタッチしたい領域よりも右側、すなわち右側に位置するユーザ用の画像を向けている側に１回目にタッチできる領域がないときには、２回目のタッチ位置が液晶表示パネル１１の中央を基準として、どちらの画像を向けている側であるかにより、タッチ入力操作がどちらの画像に対する操作であるか判定する。
【００５２】
ここで、２回目にタッチしたい領域よりも左側又は右側にタッチできる領域がない場合かどうかは、１回目のタッチ位置と２回目のタッチ位置との間の距離が、所定の閾値よりも短いか否かにより判定することができる。この閾値は、タッチパネル１２の大きさ等により適宜設定することができる。
【００５３】
そして、左右判定部１３２は、１回目のタッチ位置と二回目のタッチ位置との間の距離が所定の閾値よりも短いとき、２回目のタッチ位置が液晶表示パネル１１の中心よりも左側である場合には、２回目のタッチ入力操作を左側に位置するユーザ用の画像に対する操作であると判定し、２回目のタッチ位置が液晶表示パネル１１の中心よりも右側である場合には、２回目のタッチ入力操作を右側に位置するユーザ用の画像に対する操作であると判定する。
【００５４】
このように、表示装置１によれば、ユーザによるタッチ入力操作が、どちらの画像に対して行われたのかを容易に判別することができる。
【００５５】
表示装置１において、制御ＣＰＵ１３は、１回目のタッチ入力操作を検出してから所定時間内に２回目のタッチ入力操作を検出したとき、左右判定部１３２に２回目のタッチ入力操作が左側に位置するユーザ用の画像及び右側に位置するユーザ用の画像のいずれに対する操作であるかを判定させる。すなわち、１回目のタッチ入力操作が検出された後、一定時間内に２回目のタッチ入力が検出されない場合、制御ＣＰＵ１３は、タッチ入力操作がキャンセルされたと判断し、１回目のタッチ検出動作に戻る。２回目のタッチ入力操作の検出動作を行う場合の、１回目のタッチ入力操作の検出から２回目のタッチ入力操作の検出までの時間は、ユーザの使用状況等により適宜設定することができる。
【００５６】
次に、タッチパネル１２における、タッチ入力の座標検出処理について、図４を参照して説明する。図４は、タッチ入力の座標検出処理を説明する図である。図４に示すように、ユーザがタッチ入力操作したとき、タッチ位置検出回路１４は、タッチパネル１２とユーザの指との接触面Ｆの座標を検出する。そして、その検出結果に基づいて、接触面ＦにおけるＸ座標の中央値とＹ座標の中央値とを座標データ（Ｘ，Ｙ）を作成し、制御ＣＰＵ１３に与える。
【００５７】
本実施形態に係る表示装置１におけるタッチ入力操作の判別処理について、図５を参照して説明する。図５は、本発明の一実施形態に係る表示装置１におけるタッチ入力操作の判別処理の例を示すフローチャートである。
【００５８】
図５に示すように、まず、ステップＳ５１において、タッチパネル１２は、タッチパネル１２へのユーザによるタッチ入力操作の有無を判定する。タッチパネル１２へのタッチ入力操作があったとき（Ｙｅｓ）、タッチ位置検出回路１４は、タッチ入力された位置を検出し、座標データを制御ＣＰＵ１３に与える（ステップＳ５２）。制御ＣＰＵ１３は、当該座標データを１回目のタッチ入力の座標データとして、メモリ部１３１に記録する。なお、タッチパネル１２へのタッチ入力操作がなかったとき（Ｎｏ）、ステップＳ５１に戻って、処理を繰り返す。
【００５９】
次に、ステップＳ５３において、タッチパネル１２は、１回目のタッチ入力操作から３秒以内にユーザによるタッチ入力操作があるか否かを判定する。１回目のタッチ入力操作から３秒以内にユーザによるタッチ入力操作があったとき（Ｙｅｓ）、タッチ位置検出回路１４は、タッチ入力された位置を検出し、座標データを制御ＣＰＵ１３に与える（ステップＳ５４）。制御ＣＰＵ１３は、当該座標データを２回目のタッチ入力操作の座標データとして、メモリ部１３１に記録する。なお、１回目のタッチ入力操作から３秒以内にユーザによるタッチ入力操作がなかったとき（Ｎｏ）、ステップＳ５１に戻って、処理を繰り返す。
【００６０】
ステップＳ５４において、２回目のタッチ入力操作の座標データを取得したとき、制御ＣＰＵ１３は、左右判定部１３２において、１回目のタッチ入力操作のＸ座標と２回目のタッチ入力操作のＸ座標との差をＤ値として算出する（ステップＳ５５）。左右判定部１３２は、ステップＳ５６において、Ｄ値が０より小さいか否かを判定する。Ｄ値が０より小さい場合（Ｙｅｓ）、左右判定部１３２は、タッチ入力操作が左側に位置するユーザ用の画像に対する操作であると判定する（ステップＳ５７）。一方、Ｄ値が０より大きい場合（Ｎｏ）、左右判定部１３２は、タッチ入力操作が右側に位置するユーザ用の画像に対する操作であると判定する（ステップＳ５８）。
【００６１】
ステップＳ５７において、左右判定部１３２が、タッチ入力操作を左側に位置するユーザ用の画像に対する操作であると判定したとき、ステップＳ５９において、左画像処理部１３３は、２回目のタッチ入力操作の座標データに基づいて、左側に位置するユーザ用の画像にタッチ入力操作に対応する動作を実行する。そして、タッチ入力操作の判定処理を終了し、ステップＳ５１に戻って処理を繰り返す。処理後の画像データは、液晶表示コントローラ１５によって液晶表示パネル１１に表示される。
【００６２】
ステップＳ５８において、左右判定部１３２が、タッチ入力操作を右側に位置するユーザ用の画像に対する操作であると判定したとき、ステップＳ５９において、右画像処理部１３４は、２回目のタッチ入力操作の座標データに基づいて、右側に位置するユーザ用の画像にタッチ入力に対応する処理を実行する。
【００６３】
次に、表示装置１におけるタッチ入力操作の判別処理の他の実施形態について、図６を参照して説明する。図６は、本発明の一実施形態に係る表示装置１におけるタッチ入力操作の判別処理の他の例を示すフローチャートである。なお、以下では、図６に示す処理において、上述した図５に示す処理と異なる点についてのみ詳細に説明し、他の点については図５と同様の処理であるため、詳細な説明は省略する。
【００６４】
図６に示すように、ステップＳ６０〜Ｓ６４は、図５に示すステップＳ５１〜Ｓ５５と同様に処理する。ステップＳ６５において、左右判定部１３２は、Ｄ値の絶対値が所定の閾値よりも大きいか否かを判定する。ステップＳ６５において、Ｄ値の絶対値が閾値よりも大きいと判定したとき（Ｙｅｓ）、左右判定部１３２はさらに、Ｄ値が０より小さいか否かを判定する（ステップＳ６６）。
【００６５】
ステップＳ６６において、Ｄ値が０より小さいと判定したとき（Ｙｅｓ）、ステップＳ６７において、タッチ入力操作を左側に位置するユーザ用の画像に対する操作であると判定し、Ｄ値が０より大きいと判定したとき（Ｎｏ）、ステップＳ６８において、タッチ入力操作を右側に位置するユーザ用の画像に対する操作であると判定する。
【００６６】
ステップＳ６５において、Ｄ値の絶対値が閾値よりも小さいと判定したとき（Ｎｏ）、左右判定部１３２は、２回目のタッチ入力操作のＸ座標が液晶表示パネル１１の中央に対応する位置のＸ座標よりも小さいか否かを判定する（ステップＳ６５１）。左右判定部１３２は、ステップＳ６５１において、２回目のタッチ入力のＸ座標が液晶表示パネル１１の中央に対応する位置のＸ座標よりも小さいと判定したとき（Ｙｅｓ）、ステップＳ６７において、タッチ入力操作を左側に位置するユーザ用の画像に対する操作であると判定し、２回目のタッチ入力操作のＸ座標が液晶表示パネル１１の中央に対応する位置のＸ座標よりも大きいと判定したとき（Ｎｏ）、ステップＳ６８において、タッチ入力操作を右側に位置するユーザ用の画像に対する操作であると判定する。
【００６７】
そして、ステップＳ６９において、左画像処理部１３３及び右画像処理部１３４が、左右判定部１３２の判定結果に基づいて、各画像に対して、タッチ入力操作に対応する処理を実行する。処理後の画像データは、液晶表示コントローラ１５によって液晶表示パネル１１に表示される。
【００６８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６９】
〔表示方法、プログラム、記録媒体〕
本発明に係る表示方法は、第１画像と、当該第１画像とは視野角の異なる第２画像とを同時に表示する表示手段に対する、ユーザによるタッチ操作を検出するタッチ検出工程と、上記タッチ検出工程において、１回目のタッチ操作を検出してから所定時間内に２回目のタッチ操作を検出したとき、１回目のタッチ操作のタッチ位置が、２回目のタッチ操作のタッチ位置よりも上記第１画像を向けている側である場合、２回目のタッチ操作を第１画像に対する操作であると判定し、１回目のタッチ操作のタッチ位置が、２回目のタッチ操作のタッチ位置よりも上記第２画像を向けている側であるとき、２回目のタッチ操作を第２画像に対する操作であると判定する判定工程とを包含することを特徴としている。
【００７０】
すなわち、本発明に係る表示方法の一実施形態は、上述した表示装置１により実現されるものであるため、本発明に係る表示方法の一実施形態の説明は、上述した表示装置１の説明に準じる。
【００７１】
また、本発明に係るプログラムは、表示装置１が備えている各手段としてコンピュータを動作させるためのプログラムであり、本発明に係る記録媒体は、当該プログラムを記録しているコンピュータ読み取り可能な記録媒体である。したがって、本発明に係るプログラム及び記録媒体の一実施形態の説明の詳細は、上述した表示装置１の説明に準じる。
【００７２】
〔付記事項〕
上述した表示装置１の備える制御ＣＰＵ１３は、集積回路（ＩＣチップ）上に形成された論理回路によってハードウェア的に実現してもよいし、ＣＰＵ（Central Processing Unit）を用いてソフトウェア的に実現してもよい。
【００７３】
後者の場合、上記装置は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の記憶装置（記録媒体）などを備えている。そして、本発明の目的は、上述した機能を実現するソフトウェアである上記各装置の制御プログラムのプログラムコード（実行形式プログラム、中間コードプログラム、ソースプログラム）をコンピュータ読み取り可能に記録した記録媒体を、上記装置に供給し、そのコンピュータ（またはＣＰＵやＭＰＵ）が記録媒体に記録されているプログラムコードを読み出し実行することによっても、達成可能である。
【００７４】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【００７５】
また、上記各装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【００７６】
本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【産業上の利用可能性】
【００７７】
本発明は、タッチパネルを備えた、デュアル・ビュー表示可能な表示装置に好適に利用することができる。
【符号の説明】
【００７８】
１      表示装置
１１    液晶表示パネル（表示手段）
１２    タッチパネル（タッチ検出手段）
１３    制御ＣＰＵ（制御手段）
１４    タッチ位置検出回路
１５    液晶表示コントローラ
１３２  左右判定部（判定手段）
【図１】
2013190979.tif 000003
【図２】
2013190979.tif 000004
【図３】
2013190979.tif 000005
【図４】
2013190979.tif 000006
【図５】
2013190979.tif 000007
【図６】
2013190979.tif 000008